(57)【要約】【課題】空気調和機の異常発生の原因が外来ノイズ等の場合であれば、サービスマンが室内機の電源を一度遮断した後、再度電源を投入し電源スイッチのＯＮ／ＯＦＦ操作をしなければならなかった。【解決手段】遠隔制御装置１から、リセット個別設定手段３によりリセットしたい機器を設定し、通信線５を介して機器を個別にリセットすることができ、試運転時の作業性や、異常発生時におけるサービスマンの工事性向上を改善した空気調和機の遠隔制御装置を提供することができる。【選択図】図１
2009036384.tif 000002
【特許請求の範囲】
【請求項１】
複数の室内機と室外機を遠隔で制御する遠隔制御装置と、前記遠隔制御装置内に空気調和機の制御部内に設けられたマイコンにリセット信号を送信するリセット手段と、室内機と室外機をそれぞれ個別でリセットすることを設定できるリセット個別設定手段と、空気調和機を前記遠隔制御装置から複数の室内機と室外機を制御し、リセット信号を送受信する制御手段と、前記遠隔制御装置と室内機と室外機とを接続する通信線とを備え、リセット個別設定手段によりリセットしたい機器を設定し、リセット手段の入力があると、遠隔制御装置の制御手段が、室内機と室外機の制御手段にリセット信号を送信し、機器を個別にリセットすることを特徴とする空気調和機。
【請求項２】
遠隔制御装置に、リセット手段の入力時にリセット信号を送信するまでの時間を表示させる表示手段を備えたことを特徴とする請求項１に記載の空気調和機。
【発明の詳細な説明】
【技術分野】
【０００１】
本発明は、空気調和機の異常時における遠隔制御装置からの初期化に関する。
【背景技術】
【０００２】
従来、空気調和機に異常が発生した時のリセット方法としては、室内機、室外機を接続する通信線上の外来ノイズにより通信状態が乱れた場合に、給電側である室外機が室内機の電源を一度遮断した後、再度電源を投入することにより、室内機の状態を元に戻すものがあった（例えば、特許文献１参照）。
【０００３】
図４は、特許文献１に記載された従来の構成を示すものである。図４に示すように、室外機１０１，１０２と室内機１０３，１０４と通信線１０５とから構成されている。
【特許文献１】特公平７−６６６４号公報
【発明の開示】
【発明が解決しようとする課題】
【０００４】
しかしながら、前記従来の構成では、異常の発生の原因が外来ノイズ等の場合であれば、サービスマンが電源を一度遮断した後、再度電源を投入し電源スイッチを操作しなければならないという課題を有していた。
【０００５】
本発明は、前記従来の課題を解決するもので、サービスマンやユーザーが試運転時や異常発生時に電源スイッチを操作することなく、遠隔制御装置から機器のマイコンを個別にリセットすることができ、試運転時の作業性や、異常発生時におけるサービスマンの工事性向上を考慮した空気調和機を提供することを目的とする。
【課題を解決するための手段】
【０００６】
前記従来の課題を解決するために、本発明の空気調和機は、リセット個別設定手段と、リセット手段を使用し、個別で機器のマイコンをリセットすることが可能となり、電源スイッチの操作が不要となる。
【０００７】
これによって、試運転時の作業性や、一時的な外来ノイズでの異常発生時におけるサービスマンの工事性向上となる。
【発明の効果】
【０００８】
本発明の空気調和機は、試運転時や、一時的な外来ノイズでの異常発生時に電源スイッチを遮断する操作をしなくても遠隔制御装置から個別にそれぞれの機器のマイコンをリセットすることができる。
【発明を実施するための最良の形態】
【０００９】
第１の発明は、複数の室内機と室外機を遠隔で制御する遠隔制御装置と、空気調和機の制御部内に設けられたマイコンにリセット信号を送信するリセット手段と、室内機と室外機をそれぞれ個別でリセットすることを設定できるリセット個別設定手段と、空気調和機を遠隔制御装置から複数の室内機と室外機を制御し、リセット信号を送受信する制御手段と、室内機と室外機とを接続する通信線とから構成される空気調和機の遠隔制御装置とすることにより、試運転時や、一時的な外来ノイズでの異常発生時に電源スイッチを遮断する操作をしなくても遠隔制御装置から個別にそれぞれの機器のマイコンをリセットすることができる。
【００１０】
第２の発明は、特に第１の発明の遠隔制御装置に、リセット手段の入力時に表示させる表示手段を備えたことにより、リセット手段の入力があった時にマイコンで入力時間をカウントし、リセットするまでの時間を表示させることができ、誤操作の防止をすることができる。
【００１１】
（実施の形態１）
図１は、本発明の実施の形態１における空気調和機の構成ブロック図である。図１において、複数の室内機と室外機を遠隔で制御する遠隔制御装置と、空気調和機の制御部内に設けられたマイコンにリセット信号を送信するリセット手段と、室内機と室外機をそれぞれ個別でリセットすることを設定できるリセット個別設定手段と、空気調和機を遠隔制御装置から複数の室内機と室外機を制御し、リセット信号を送受信する制御手段と、室内機と室外機とを接続する通信線とから構成されている。以上のように構成された空気調和機について、以下その動作、作用を説明する。
【００１２】
まず、遠隔制御装置１内に搭載されたリセット個別設定手段３で、リセットする機器を選択し、リセット手段２を制御部４に入力することで、制御部４が室外機６、室内機７ａ、室内機７ｂの個別に設定された制御部に通信線５を介してリセット信号を送信する。
【００１３】
以上のように、遠隔制御装置１内に搭載されたリセット個別設定手段３でリセットする機器を選択し、リセット手段２でリセット信号を送信することで、異常が発生していた機器や、リセットしたい機器を個別にリセットすることができるものである。
【００１４】
（実施の形態２）
図２は、本発明の第２の実施の形態の空気調和機の構成ブロック図である。本発明の第１の実施の形態で示した遠隔制御装置１に表示手段８を構成した空気調和機である。以上のように構成された空気調和機について、以下その動作、作用を説明する。
【００１５】
まず、リセット手段２を制御部４に入力する際に、制御部４がリセット手段２の入力時間をカウントし、リセット開始までの時間表示を表示手段８により表示することができる。
【００１６】
以上のように表示手段８を備えたことにより、サービスマンやユーザーが誤操作しても、すぐにリセットにはならないので、誤操作防止をすることができるものである。
【産業上の利用可能性】
【００１７】
以上のように、本発明は、試運転時や異常発生時に電源を遮断する操作をしなくても、遠隔制御装置内に搭載されたリセット個別設定手段でリセットしたい機器を選択し、個別にリセットすることができるので、遠隔制御機器を用いたマルチ型エアコンのシステムに適する。
【図面の簡単な説明】
【００１８】
【図１】本発明の実施の形態１における空気調和機の構成ブロック図
【図２】本発明の実施の形態２における空気調和機の構成ブロック図
【図３】従来の空気調和機における構成ブロック図
【符号の説明】
【００１９】
１  遠隔制御装置
２  リセット手段
３  リセット個別設定手段
４  制御部
５  通信線
６  室外機
７ａ，７ｂ  室内機
８  表示手段
１０１、１０２  室外機
１０３、１０４  室内機
１０５  通信線
【図１】
2009036384.tif 000003
【図２】
2009036384.tif 000004
【図３】
2009036384.tif 000005